(57)【要約】【課題】光ディスクを確実且つ安定に搬送する。【解決手段】ディスク挿脱口１２ａの左右両端側に筐体１１内の奥方に向かって左右対称に固定設置され、カム溝４１ｃと直線状ガイド溝４１ｄとを左右対称に有する一対のガイドレール４１Ｌ，４１Ｒと、一対のガイドレール４１Ｌ，４１Ｒの各直線状ガイド溝４１ｄに沿って駆動源４５の駆動力により往復動する一対のスライダ４３Ｌ，４３Ｒと、一対のガイドレール４１Ｌ，４１Ｒの各カム溝４１ｃに係合し、且つ、各カム溝４１ｃの形状に応じて光ディスク１の外周縁１ｇを把持するか、又は、光ディスクの外周縁の把持を解除するように一対のスライダ４３Ｌ，４３Ｒに回動自在に支持され、一対のスライダと一体に往復動する一対の光ディスク把持レバー４２Ｌ，４２Ｒと、一対の光ディスク把持レバーを光ディスクの略仮想中心Ｏに向かって付勢する一対のバネ４４Ｌ，４４Ｒと、を備えている。【選択図】図２
2010205369.tif 000002
【特許請求の範囲】
【請求項１】
筐体の前面側に設けたディスク挿脱口から挿入された光ディスクを装着し、且つ、前記筐体内に設けられたターンテーブルと、
前記ターンテーブルを挟んで前記ディスク挿脱口の左右両端側に前記ディスク挿脱口の後方から前記筐体内の奥方に向かって左右に設置され、カム溝と直線状ガイド溝とを有する一対のガイドレールと、
前記一対のガイドレールの各直線状ガイド溝に沿って駆動源の駆動力により往復動する一対のスライダと、
前記一対のガイドレールの各カム溝に係合し、且つ、前記各カム溝の形状に応じて前記光ディスクの外周縁を把持するか、又は、前記光ディスクの外周縁の把持を解除するように前記一対のスライダに回動自在に支持され、前記一対のスライダと一体に往復動し、前記光ディスクの挿入方向と直交して前記光ディスクの仮想中心を通る仮想線と交わる前記外周縁の近傍を把持する光ディスク把持部を設けた一対の光ディスク把持レバーと、
を有することを特徴とするディスクローディング機構。
【請求項２】
前記一対のガイドレールの各カム溝は、前記ディスク挿脱口より前記筐体内の奥方に前記光ディスクの挿入を待機する待機位置が設定され、且つ、前記待機位置よりも奥方に前記光ディスクを前記ターンテーブル上に装着する前記光ディスク装着位置が設定されていると共に、前記ディスク挿脱口の近傍に前記ターンテーブルに装着した前記光ディスクを排出する光ディスク排出位置が設定されており、更に、前記各カム溝は、前記一対の光ディスク把持レバーを、前記待機位置で待機させ、前記待機位置と前記光ディスク装着位置の手前の間で挿入された前記光ディスクに対して把持状態を保つように前記一対の光ディスク把持レバーを付勢する一対のバネに抗して回動させ、前記光ディスク装着位置の近傍で把持されている前記光ディスクに対して把持解除方向に回動させ、前記待機位置と前記光ディスク排出位置の間で排出される前記光ディスクに対して前記一対のバネの付勢力で把持方向に回動させるように形成されていることを特徴とする請求項１記載のディスクローディング機構。
【請求項３】
前記一対のガイドレールの各カム溝は、前記ディスク挿脱口と前記待機位置との間に幅広く直線状に形成され、前記ターンテーブル上に装着された前記光ディスクを排出方向に搬送する際に前記一対の光ディスク把持レバーを前記一対のバネの付勢力により光ディスク把持方向に回動させる第１直線状カム溝部と、
前記第１直線状カム溝部の後端に連接してテーパカム状に形成され、前記光ディスクの挿入動作に伴って前記待機位置に待機している前記一対の光ディスク把持レバーを押し込みながら前記一対のバネに抗して前記一対の光ディスク把持レバーを光ディスク把持方向に回動させるテーパカム部と、
前記テーパカム部に連接して前記光ディスク装着位置の手前まで前記第１直線状カム溝部よりも幅狭く直線状に形成され、前記テーパカム部により前記光ディスクの外周縁を把持したままの状態で前記一対の光ディスク把持レバーの回動を規制する第２直線状カム溝部と、
前記第２直線状カム溝部の後端から前記光ディスク装着位置までの間で前記第２直線状カム溝部と略同じ幅でテーパカム溝状に形成され、前記一対の光ディスク把持レバーを光ディスク把持解除方向に回動させるテーパカム溝部と、
を有することを特徴とする請求項２記載のディスクローディング機構。
【請求項４】
前記光ディスクのレーベル面側となる上面を上に向け、且つ、前記光ディスクのレーザビーム入射面側となる下面を下に向けて前記光ディスクを前記ディスク挿脱口から挿入する際、前記一対の光ディスク把持レバーの各光ディスク把持部は溝部と上下のフランジ部とによりコ字溝状に形成されており、且つ、前記光ディスクの下面と接する下側のフランジ部の幅が前記光ディスクの上面と接する上側のフランジ部の幅よりも幅広く形成されていることを特徴とする請求項１〜３のいずれか１項記載のディスクローディング機構。
【請求項５】
前記ターンテーブル上に装着された前記光ディスクを前記ディスク挿脱口から排出する際、前記光ディスク装着位置の近傍で前記光ディスクの略仮想中心に向かって把持した前記一対の光ディスク把持レバーを前記一対のスライダと一体に前記ディスク挿脱口まで搬送させ、且つ、前記一対の光ディスク把持レバーを付勢する一対のバネにより前記光ディスクの略仮想中心方向に向かって付勢された前記一対の光ディスク把持レバーの各光ディスク把持部を前記ディスク挿脱口内の左右両端から外部に突出させて、前記各光ディスク把持部から前記光ディスクを引き抜くことを特徴とする請求項１〜４のいずれか１項記載のディスクローディング機構。
【発明の詳細な説明】
【技術分野】
【０００１】
本発明は、光ディスク装置の筐体の前面側に設けたディスク挿脱口から光ディスクを挿脱できるディスクローディング機構に関するものである。
【背景技術】
【０００２】
一般的に、円盤状の光ディスクは、映像情報とか音声情報やコンピュータデータなどの情報信号を透明基板の信号面上に形成した螺旋状又は同心円状のトラックに高密度に記録し、且つ、記録済みのトラックを再生する際に所望のトラックを高速にアクセスできることから多用されている。
【０００３】
この種の光ディスクとして、ＣＤ（Ｃｏｍｐａｃｔ  Ｄｉｓｃ）や、ＣＤよりも高密度に記録再生可能なＤＶＤ（Ｄｉｇｉｔａｌ  Ｖｅｒｓａｔｉｌｅ  Ｄｉｓｃ）の他に、最近になってＤＶＤよりも更に超高密度に記録再生可能なＢＤ（Ｂｌｕ−ｒａｙ  Ｄｉｓｃ）も市販されている。
【０００４】
また、これらの光ディスクは、光ピックアップ内に設けた対物レンズからのレーザビームが入射するレーザビーム入射面から信号面までの厚さがＢＤでは０．１ｍｍ程度、ＤＶＤでは０．６ｍｍ程度、ＣＤでは１．２ｍｍ程度と光ディスクの種類によって異なっているが、光ディスクの全体の厚さが１．２ｍｍ，光ディスクの外径が１２０ｍｍ，光ディスクの中心孔の径が１５ｍｍに規格化されているので、複数種（ＢＤ，ＤＶＤの２種類又はＢＤ，ＤＶＤ，ＣＤの３種類）の光ディスクを光ディスク装置内に設けた同一のディスクローディング機構を用いて挿脱可能であり、且つ、光ディスク装置内で光ピックアップを用いて記録再生可能になっている。
【０００５】
ところで、光ディスクを光ディスク装置内に搬送するためのディスクローディング機構は、大別すると、光ディスクをカートリッジ内に収納してカートリッジごと光ディスク装置内に搬送するカートリッジ方式や、裸の光ディスク（ベア型光ディスク）を光ディスク装置内に引き出し自在に設けたトレイ上に搭載して搬送するトレイ方式や、裸の光ディスクを光ディスク装置の筐体の前面側に設けたディスク挿脱口から筐体内の途中まで手動で挿入するスロットイン方式などがある。
【０００６】
この際、上記した複数の方式のうちで、ディスクローディング機構を安価に提供できるスロットイン方式に注目すると、裸の光ディスクの上下の面をディスクガイドと２つのテーパローラで挟み、この２つのテーパローラを回転させることで光ディスクをローディングさせるスロットイン方式のローディング装置があり（例えば、特許文献１参照）、また、裸の光ディスクの外周縁に３つのローラを押し当てて光ディスクをローディングさせる記録媒体駆動装置がある（例えば、特許文献２参照）。
【０００７】
図１１は従来例１のスロットイン方式のローディング装置を示した斜視図である。
【０００８】
また、図１２は従来例２の記録媒体駆動装置を示した平面図である。
【０００９】
図１１に示した従来例１のスロットイン方式のローディング装置１００は、特許文献１に開示されているものであり、特許文献１を参照して簡略に説明すると、不図示の筐体の前面側に設けたディスク挿脱口よりも後方に板状のディスクガイド１０１が不図示の光ディスクの上面側に対向して固定されていると共に、バネ１０２により付勢された回動自在な送りローラ支持アーム１０３にテーパ円筒状（鼓状）に形成された第１，第２のテーパローラ１０４,１０５が不図示の光ディスクの下面側に対向して駆動ギア１０６と連結されて回転自在に支持されている。
【００１０】
そして、不図示のディスク挿脱口から差し込まれた裸の光ディスクをディスクガイド１０１と第１，第２のテーパローラ１０４,１０５との間に挿入して、第１，第２のテーパローラ１０４,１０５を駆動ギア１０６を介して回転駆動することにより、光ディスクを光ディスク装置内のクランプ位置まで搬送することが記載されている。
【００１１】
また、図１２に示した従来例２の記録媒体駆動装置２００は、特許文献２に開示されているものであり、特許文献２を参照して簡略に説明すると、不図示のディスク挿脱口よりも右後方に回動可能に設けた収容アーム２０１の先端に軸着させたローラ２０２と、不図示のディスク挿脱口よりも左後方に回動可能に設けたサブアーム２０３の先端に軸着させたローラ２０４と、装置２００内の奥方に回動可能に設けた排出アーム２０５の先端に軸着させたローラ２０６とで光ディスク２０７の外周縁２０７ｇを把持するように構成されている。
【００１２】
そして、収容アーム２０１を矢印ア方向に回動させ且つサブアーム２０３を矢印イ方向に回動させて光ディスク２０７を装置２００内に押しみ、一方、排出アーム２０５を矢印ウ方向に回動させて光ディスク２０７を装置２００の外部に排出させることが記載されている。
【先行技術文献】
【特許文献】
【００１３】
【特許文献１】特開２００５−３４６８５７号公報
【特許文献２】特開２００２−３６７２６１号公報
【発明の概要】
【発明が解決しようとする課題】
【００１４】
ところで、特許文献１に開示されたスロットイン方式のローディング装置１００では、不図示の光ディスクをディスクガイド１０１と第１，第２のテーパローラ１０４，１０５との間に挿入した際に、光ディスクのレーベル面側となる上面側にディスクガイド１０１が当接しているので、光ディスクの上面側が凸状に反っている場合にディスクガイド１０１の摩擦により光ディスクの上面に傷が発生することがあり、また、光ディスクのレーザビーム入射面側となる下面側に第１，第２のテーパローラ１０４，１０５が圧接しているので、光ディスクの下面側が凸状に反っている場合に第１，第２のテーパローラ１０４，１０５の摩擦により光ディスクの下面に傷が発生することがあり、問題である。
【００１５】
また、特許文献２に開示された記録媒体駆動装置２００では、光ディスク２０７の外周縁２０７ｇが３つのアーム２０１，２０３，２０５の各先端に軸着された各ローラ２０２，２０４，２０６で把持されているが、光ディスク２０７を装置２００の外部に排出する時に、光ディスク２０７のレーザビーム入射面側となる下面側を人手で触らないようにするために、光ディスク２０７の中心孔２０７ｈを不図示のディスク挿脱口よりも外側までアンローディングしなければならない。
【００１６】
従って、光ディスク２０７の外周縁２０７ｇの後端を排出アーム２０５の先端に軸着させたローラ２０６で挟持しても光ディスク２０７を安定に支持することができないので光ディスク２０７の排出動作に問題が生じる。
【００１７】
そこで、本発明では、スロットイン方式を適用して、光ディスク装置の筐体の前面側に設けたディスク挿脱口から裸の光ディスク（ベア型光ディスク）を挿脱する際に、光ディスクのレーベル面となる上面及びレーザビーム入射面側となる下面を傷つけずに光ディスクを搬送でき、且つ、光ディスクを確実且つ安定に筐体外に取り出すことができるディスクローディング機構を提供することを目的とする。
【課題を解決するための手段】
【００１８】
本発明は上記課題に鑑みてなされたものであり、第１の発明は、筐体（１１）の前面側に設けたディスク挿脱口（１２ａ）から挿入された光ディスク（１）を装着し、且つ、前記筐体（１１）内に設けられたターンテーブル（２１）と、
前記ターンテーブル（２１）を挟んで前記ディスク挿脱口（１２ａ）の左右両端側に前記ディスク挿脱口（１２ａ）の後方から前記筐体（１１）内の奥方に向かって左右に設置され、カム溝（４１ｃ）と直線状ガイド溝（４１ｄ）とを有する一対のガイドレール（４１Ｌ．４１Ｒ）と、
前記一対のガイドレール（４１Ｌ．４１Ｒ）の各直線状ガイド溝（４１ｄ）に沿って駆動源（４５）の駆動力により往復動する一対のスライダ（４３Ｌ．４３Ｒ）と、
前記一対のガイドレール（４１Ｌ．４１Ｒ）の各カム溝（４１ｃ）に係合し、且つ、前記各カム溝（４１ｃ）の形状に応じて前記光ディスク（１）の外周縁（１ｇ）を把持するか、又は、前記光ディスク（１）の外周縁（１ｇ）の把持を解除するように前記一対のスライダ（４３Ｌ．４３Ｒ）に回動自在に支持され、前記一対のスライダ（４３Ｌ．４３Ｒ）と一体に往復動し、前記光ディスク（１）の挿入方向と直交して前記光ディスク（１）の仮想中心（Ｏ）を通る仮想線（ＫＬ）と交わる前記外周縁（１ｇ）の近傍を把持する光ディスク把持部（４２ｄ）を設けた一対の光ディスク把持レバー（４２Ｌ．４２Ｒ）と、
を有することを特徴とするディスクローディング機構（１０）である。
【００１９】
また、第２の発明は、上記した第１の発明のディスクローディング機構（１０）において、
前記一対のガイドレール（４１Ｌ，４１Ｒ）の各カム溝（４１ｃ）は、前記ディスク挿脱口（１２ａ）より前記筐体（１１）内の奥方に前記光ディスク（１）の挿入を待機する待機位置（Ｙ１）が設定され、且つ、前記待機位置（Ｙ１）よりも奥方に前記光ディスク（１）を前記ターンテーブル（２１）上に装着する前記光ディスク装着位置（Ｙ２）が設定されていると共に、前記ディスク挿脱口（１２ａ）の近傍に前記ターンテーブル（２１）に装着した前記光ディスク（１）を排出する光ディスク排出位置（Ｙ３）が設定されており、更に、前記各カム溝（４１ｃ）は、前記一対の光ディスク把持レバー（４２Ｌ，４２Ｒ）を、前記待機位置（Ｙ１）で待機させ、前記待機位置（Ｙ１）と前記光ディスク装着位置（Ｙ２）の手前の間で挿入された前記光ディスク（１）に対して把持状態を保つように前記一対の光ディスク把持レバー（４２Ｌ．４２Ｒ）を付勢する一対のバネ（４４Ｌ，４４Ｒ）に抗して回動させ、前記光ディスク装着位置（Ｙ２）の近傍で把持されている前記光ディスク（１）に対して把持解除方向に回動させ、前記待機位置（Ｙ１）と前記光ディスク排出位置（Ｙ３）の間で排出される前記光ディスク（１）に対して前記一対のバネ（４４Ｌ，４４Ｒ）の付勢力で把持方向に回動させるように形成されていることを特徴とするディスクローディング機構（１０）である。
【００２０】
また、第３の発明は、上記した第２の発明のディスクローディング機構（１０）において、
前記一対のガイドレール（４１Ｌ，４１Ｒ）の各カム溝（４１ｃ）は、前記ディスク挿脱口（１２ａ）と前記待機位置（Ｙ１）との間に幅広く直線状に形成され、前記ターンテーブル（２１）上に装着された前記光ディスク（１）を排出方向に搬送する際に前記一対の光ディスク把持レバー（４２Ｌ，４２Ｒ）を前記一対のバネ（４４Ｌ，４４Ｒ）の付勢力により光ディスク把持方向に回動させる第１直線状カム溝部（４１ｃ１）と、
前記第１直線状カム溝部（４１ｃ１）の後端に連接してテーパカム状に形成され、前記光ディスク（１）の挿入動作に伴って前記待機位置（Ｙ１）に待機している前記一対の光ディスク把持レバー（４２Ｌ，４２Ｒ）を押し込みながら前記一対のバネ（４４Ｌ，４４Ｒ）に抗して前記一対の光ディスク把持レバー（４２Ｌ，４２Ｒ）を光ディスク把持方向に回動させるテーパカム部（４１ｃ２）と、
前記テーパカム部（４１ｃ２）に連接して前記光ディスク装着位置（Ｙ２）の手前まで前記第１直線状カム溝部（４１ｃ１）よりも幅狭く直線状に形成され、前記テーパカム部（４１ｃ２）により前記光ディスク（１）の外周縁（１ｇ）を把持したままの状態で前記一対の光ディスク把持レバー（４２Ｌ，４２Ｒ）の回動を規制する第２直線状カム溝部（４１ｃ３）と、
前記第２直線状カム溝部（４１ｃ３）の後端から前記光ディスク装着位置（Ｙ２）までの間で前記第２直線状カム溝部（４１ｃ３）と略同じ幅でテーパカム溝状に形成され、前記一対の光ディスク把持レバー（４２Ｌ，４２Ｒ）を光ディスク把持解除方向に回動させるテーパカム溝部（４１ｃ４）と、
を有することを特徴とするディスクローディング機構（１０）である。
【００２１】
また、第４の発明は、上記した第１〜第３のいずれかの発明のディスクローディング機構（１０）において、
前記光ディスク（１）のレーベル面側となる上面（１ａ）を上に向け、且つ、前記光ディスク（１）のレーザビーム入射面側となる下面（１ｂ）を下に向けて前記光ディスク（１）を前記ディスク挿脱口（１２ａ）から挿入する際、前記一対の光ディスク把持レバー（４２Ｌ，４２Ｒ）の各光ディスク把持部（４２ｄ）は溝部（４２ｄ１）と上下のフランジ部（４２ｄ２，４２ｄ３）とによりコ字溝状に形成されており、且つ、前記光ディスク（１）の下面（１ｂ）と接する下側のフランジ部（４２ｄ３）の幅が前記光ディスク（１）の上面（１ａ）と接する上側のフランジ部（４２ｄ２）の幅よりも幅広く形成されていることを特徴とするディスクローディング機構（１０）である。
【００２２】
更に、第５の発明は、上記した第１〜第４のいずれかの発明のディスクローディング機構（１０）において、
前記ターンテーブル（２１）上に装着された前記光ディスク（１）を前記ディスク挿脱口（１２ａ）から排出する際、前記光ディスク装着位置（Ｙ２）の近傍で前記光ディスク（１）の略仮想中心（Ｏ）に向かって把持した前記一対の光ディスク把持レバー（４２Ｌ，４２Ｒ）を前記一対のスライダ（４３Ｌ，４３Ｒ）と一体に前記ディスク挿脱口（１２ａ）まで搬送させ、且つ、前記一対の光ディスク把持レバー（４２Ｌ．４２Ｒ）を付勢する一対のバネ（４４Ｌ，４４Ｒ）により前記光ディスク（１）の略仮想中心方向に向かって付勢された前記一対の光ディスク把持レバー（４２Ｌ，４２Ｒ）の各光ディスク把持部（４２ｄ）を前記ディスク挿脱口（１２ａ）内の左右両端から外部に突出させて、前記各光ディスク把持部（４２ｄ）から前記光ディスク（１）を引き抜くことを特徴とするディスクローディング機構（１０）である。
【発明の効果】
【００２３】
上記した第１の発明のディスクローディング機構によると、筐体の前面側に設けたディスク挿脱口の左右両端側にディスク挿脱口の後方から筐体の奥方に向かって一対のガイドレールを左右対称に設置し、この一対のガイドレールに沿って往復動する一対のスライダに一対の光ディスク把持レバーを回動自在に支持した際に、一対の光ディスク把持レバーは、光ディスクを把持する各光ディスク把持部が光ディスクの挿入方向と直交して光ディスクの仮想中心を通る仮想線と交わる外周縁の近傍を把持しているので、この結果、光ディスクを確実且つ安定に把持した状態で光ディスクを搬送できると共に、光ディスクのレーベル面となる上面及びレーザビーム入射面側となる下面を傷つけずに光ディスクを搬送できる。
【００２４】
また、上記した第２の発明のディスクローディング機構によると、一対のガイドレールの各カム溝は、一対の光ディスク把持レバーを、待機位置で待機させ、待機位置と光ディスク装着位置の手前の間で挿入された光ディスクに対して把持状態を保つように一対の光ディスク把持レバーを付勢する一対のバネに抗して回動させ、光ディスク装着位置の近傍で把持されている光ディスクに対して把持解除方向に回動させ、待機位置と光ディスク排出位置の間で排出される光ディスクに対して一対のバネの付勢力で把持方向に回動させるように形成されているので、光ディスクの搬送及び光ディスクの排出を確実且つ安定に行なうことができる。
【００２５】
また、上記した第３の発明のディスクローディング機構によると、一対のガイドレールの各カム溝は、第１直線状カム溝部と、テーパカム部と、第２直線状カム溝部と、テーパカム溝部とを有しており、とくに、第２直線状カム溝部は、テーパカム部により光ディスクの外周縁を把持したままの状態で一対の光ディスク把持レバーの回動を規制しているので、第２直線状カム溝部により光ディスクの搬送中に光ディスクが一対の光ディスク把持レバーから外れることを防止できる。
【００２６】
また、上記した第４の発明のディスクローディング機構によると、一対の光ディスク把持レバーの各光ディスク把持部は溝部と上下のフランジ部とによりコ字溝状に形成されており、且つ、光ディスクの下面と接する下側のフランジ部の幅が光ディスクの上面と接する上側のフランジ部の幅よりも幅広く形成されているので、光ディスクの上下の面を傷つけることなく光ディスクを確実且つ安定に把持できる。
【００２７】
更に、上記した第５の発明のディスクローディング機構によると、ターンテーブル上に装着された光ディスクをディスク挿脱口から排出する際、光ディスク装着位置の近傍で光ディスクの略仮想中心に向かって把持した一対の光ディスク把持レバーを一対のスライダと一体にディスク挿脱口まで搬送させ、且つ、一対の光ディスク把持レバーを付勢する一対のバネにより光ディスクの略仮想中心方向に向かって付勢された一対の光ディスク把持レバーの各光ディスク把持部をディスク挿脱口内の左右両端から外部に突出させて、各光ディスク把持部から光ディスクを引き抜いているので、光ディスクを確実且つ安定に取り出すことができる。
【図面の簡単な説明】
【００２８】
【図１】本発明に係るディスクローディング機構を用いた光ディスク装置を示した外観斜視図である。
【図２】（ａ），（ｂ）は本発明に係るディスクローディング機構を用いた光ディスク装置において、光ディスクを筐体内に挿入した後にこの光ディスクをターンテーブル上に装着したときの状態を示した平面図，右側面図である。
【図３】（ａ），（ｂ）は本発明に係るディスクローディング機構を用いた光ディスク装置において、ターンテーブル上に装着した光ディスクを筐体内から排出するときの状態を示した平面図，右側面図である。
【図４】本発明に係るディスクローディング機構の左側を拡大して示した斜視図である。
【図５】本発明に係るディスクローディング機構の左側を拡大して示した平面図である。
【図６】本発明に係るディスクローディング機構において、左右一対の光ディスク把持レバーを回動可能に支持した左右一対のスライダが待機位置に至っている状態を示した平面図である。
【図７】本発明に係るディスクローディング機構において、左右一対の光ディスク把持レバーを回動可能に支持した左右一対のスライダが光ディスク装着位置に至っている状態を示した平面図である。
【図８】本発明に係るディスクローディング機構において、左右一対の光ディスク把持レバーを回動可能に支持した左右一対のスライダが光ディスク排出位置に至っている状態を示した平面図である。
【図９】（ａ）．（ｂ）は本発明に係るディスクローディング機構において、光ディスク排出位置で左右一対の光ディスク把持レバーの各光ディスク把持部による把持力が光ディスクの中心孔に向かう状態を示した斜視図である。
【図１０】本発明に係るディスクローディング機構において、光ディスク排出位置で左右一対の光ディスク把持レバーの各光ディスク把持部から光ディスクを手動で引き抜く状態を示した平面図である。
【図１１】従来例１のスロットイン方式のローディング装置を示した斜視図である。
【図１２】従来例２の記録媒体駆動装置を示した平面図である。
【発明を実施するための形態】
【００２９】
以下に本発明に係るディスクローディング機構の一実施例について図１〜図１０を参照して詳細に説明する。
【実施例】
【００３０】
図１に示した如く、本発明に係るディスクローディング機構を用いた光ディスク装置１０では、この装置１０の外観を構成する筐体１１が箱状に形成されており、この筐体１１の前面１１ａに前面パネル１２が取り付けられている。
【００３１】
また、前面パネル１２には、ディスク挿脱口１２ａが円盤状の光ディスク１の外形よりも大きく長方形状に貫通して略水平に形成されている。
【００３２】
この際、円盤状の光ディスク１は、ＢＤ又はＤＶＤもしくはＣＤのいずれかであり、各光ディスク規格に基づいて直径が１２０ｍｍｍ，厚みが１．２ｍｍ，中心孔１ｈの孔径が１５ｍｍに形成されている。
【００３３】
そして、円盤状の光ディスク１をディスク挿脱口１２ａから挿脱する際に、光ディスク１のレーベル面側となる上面１ａを上に向け、且つ、光ディスク１のレーザビーム入射面側となる下面１ｂを下に向けた姿勢で、裸の光ディスク（ベア型光ディスク）１がディスク挿脱口１２ａから筐体１１内の途中まで手動により挿入されるようになっているので、この光ディスク装置１０は周知のスロットイン方式を採用している。
【００３４】
この際、後述するように、光ディスク１の排出時に光ディスク１を把持した左右一対の光ディスク把持レバー４２Ｌ，４２Ｒ（図２）の各一部がディスク挿脱口１２の左右両端から外部に向かって突出できるようにディスク挿脱口１２ａが光ディスク１に対して上下左右に隙間を持って形成されている。そのため、ディスク挿脱口１２ａに突出した左右一対の光ディスク把持レバー４２Ｌ，４２Ｒ（図２）から光ディスク１を手動により引き抜くようになっている。
【００３５】
また、図２（ａ），（ｂ）及び図３（ａ），（ｂ）に示した如く、光ディスク装置１０には、光ディスク１を記録再生するための複数の構成部材２１〜２７を取り付けたトラバース機構部２０が筐体１１内の下方に不図示の駆動源によって矢印Ｚ方向（上下方向）に移動可能に設けられ、且つ、このトラバース機構部２０と対向して光ディスク１をクランプするディスククランプ部３０が筐体１１内の上方に固定されている。更に、筐体１１の前方に設けたディスク挿脱口１２ａから手動により差し込まれた裸の光ディスク１を筐体１１内の途中からディスク装着位置まで自動的に搬送すると共に、筐体１１内に装着された光ディスク１を自動的にディスク挿脱口１２ａの外側に排出するディスクローディング機構部４０がディスク挿脱口１２ａの左右両端側に左右対称に設けられている。
【００３６】
より具体的に説明すると、まず、トラバース機構部２０は、光ディスク１を搭載して回転するターンテーブル２１をモータ軸に固着したモータ２２と、光ディスク１に情報信号を記録再生するために２本のガイドシャフト２３に沿って光ディスク１の半径方向に移動自在な光ピックアップ２４とが矩形状のトラバースベース２５上に取り付けられている。
【００３７】
また、トラバースベース２５は、矩形状の４隅を計４個のゴム製のインシュレータ２６により防振されて矩形状のメインシャーシ２７上に取り付けられている。
【００３８】
次に、ディスククランプ部３０は、筐体１１の上方にカップ状のクランパ支持材３１が固着されており、このクランパ支持材３１に形成した不図示の丸孔にディスククランパ３２がターンテーブル２１と対向して回転可能に懸架されている。
【００３９】
そして、光ディスク１が筐体１１内に挿入されていない初期時、又は、光ディスク１がディスクローディング機構部４０によって筐体１１内に挿入される時、もしくは、光ディスク１がディスクローディング機構部４０によって筐体１１内から排出される時には、図２（ａ），（ｂ）に示したように、トラバースベース２５上に取り付けたモータ２２及び光ピックアップ２４がメインシャーシ２７と一体に矢印Ｚｄｏｗｎ方向に下動して、トラバース機構部２０が光ディスク１の搬送（ローディング）を許容するように退避している。
【００４０】
一方、ディスクローディング機構部４０によって光ディスク１の中心孔１ｈがターンテーブル２１と対向する位置に至った時には、トラバースベース２５上に取り付けたモータ２２及び光ピックアップ２４がメインシャーシ２７と一体に矢印Ｚｕｐ方向に上動し、これにより、光ディスク１の中心孔１ｈ内にターンテーブル２１のチャック部２１ａが進入して、ディスククランパ３２によって光ディスク１がターンテーブル２１上に装着される。この後、モータ２２によってターンテーブル２１と一体に光ディスク１が回転したときに、光ディスク１の半径方向に移動自在な光ピックアップ２４により光ディスク１の信号面に情報信号を記録したり、又は、記録済みの情報信号を再生するようになっている。
【００４１】
そして、筐体１１内で光ディスク１の記録又は再生が終了したときには、図３（ａ），（ｂ）に示したように、ディスクローディング機構部４０によって光ディスク１を筐体１１の外に自動的に排出している。
【００４２】
次に、ディスクローディング機構部４０は、本発明の要部を構成するものであり、上記したディスクローディング機構部４０は、左右一対のガイドレール４１Ｌ，４１Ｒと、左右一対の光ディスク把持レバー４２Ｌ，４２Ｒと、左右一対のスライダ４３Ｌ，４３Ｒと、左右一対のネジリバネ４４Ｌ，４４Ｒ（図４〜図６）と、を備えている。
【００４３】
即ち、左右一対のガイドレール４１Ｌ，４１Ｒは、筐体１１内に設けたターンテーブル２１を挟んでディスク挿脱口１２ａの左右両端側にこのディスク挿脱口１２ａの後方から筐体１１内の奥方に向かって左右対称に固定設置されている。
【００４４】
また、左右一対のガイドレール４１Ｌ，４１Ｒの各上面側に左右対称に形成した左右一対の光ディスク把持レバー４２Ｌ，４２Ｒが設けられ、且つ、左右一対のガイドレール４１Ｌ，４１Ｒの各下面側に左右対称に形成した左右一対のスライダ４３Ｌ，４３Ｒが矢印Ｙ方向に摺動自在に設けられていると共に、左右一対の光ディスク把持レバー４２Ｌ，４２Ｒは左右一対のガイドレール４１Ｌ，４１Ｒを挟んで左右一対のスライダ４３Ｌ，４３Ｒに回動可能に支持されている。
【００４５】
この際、左右一対のスライダ４３Ｌ，４３Ｒは、左右一対のガイドレール４１Ｌ，４１Ｒの各下面内側に沿いながら不図示のモータによって回転駆動する駆動用プーリ４５と複数の従動用プーリ４６とにループ状に掛け渡されたタイミングベルト４７に連結されている。そして、駆動用プーリ４５が回転駆動すると、タイミングベルト４７に連結された左右一対のスライダ４３Ｌ，４３Ｒ上に回動可能に支持した左右一対の光ディスク把持レバー４２Ｌ，４２Ｒが同じ方向に同一速度で矢印Ｙ方向に往復動可能になっている。
【００４６】
ここで、ディスクローディング機構部４０のうちで左側の構成部材を図４，図５に拡大して示し、右側は左側に対し対称に構成されているので図示を省略して左側について図１〜図５を併用して詳述する。
【００４７】
図４及び図５に示した如く、左側のガイドレール４１Ｌは、例えば樹脂材を用いて上面４１ａと下面４１ｂとの間が長尺な平板状に形成されており、このガイドレール４１Ｌ内の図示左側にカム溝４１ｃが長尺に貫通して形成され、且つ、カム溝４１ｃの右側に直線状ガイド溝４１ｄがカム溝４１ｃと略平行に全て同一幅で長尺に貫通して形成されている。
【００４８】
この際、左側のガイドレール４１Ｌ内のカム溝４１ｃは、ディスク挿脱口１２ａと待機位置Ｙ１（図５のみ図示）との間に幅広く直線状に形成され、ターンテーブル２１上に装着された光ディスク１を排出方向に搬送する際に左側の光ディスク把持レバー４２Ｌを左側のネジリバネ４４Ｌの付勢力により光ディスク把持方向に回動させる第１直線状カム溝部４１ｃ１と、この第１直線状カム溝部４１ｃ１の後端に連接してテーパカム状に形成され、光ディスク１の挿入動作に伴って待機位置Ｙ１に待機している左側の光ディスク把持レバー４２Ｌを押し込みながら左側のネジリバネ４４Ｌに抗して左側の光ディスク把持レバー４２Ｌを光ディスク把持方向に回動させるテーパカム部４１ｃ２と、このテーパカム部４１ｃ２に連接して光ディスク装着位置Ｙ２（図５のみ図示）の手前まで第１直線状カム溝部４１ｃ１よりも幅狭く直線状に形成され、テーパカム部４１ｃ２により光ディスク１の外周縁１ｇを把持したままの状態で左側の光ディスク把持レバー４２Ｌの回動を規制する第２直線状カム溝部４１ｃ３と、この第２直線状カム溝部４１ｃ３の後端から光ディスク装着位置Ｙ２までの間で第２直線状カム溝部４１ｃ３と略同じ幅でテーパカム溝状に形成され、左側の光ディスク把持レバー４２Ｌを光ディスク把持解除方向に回動させるテーパカム溝部４１ｃ４と、を有している。
【００４９】
また、左側の光ディスク把持レバー４２Ｌは、樹脂材を用いて上面４２ａと下面４２ｂとの間で右側面４２ｃ側に光ディスク１の外周縁１ｇを把持する光ディスク把持部４２ｄが形成されている。
【００５０】
この際、光ディスク把持部４２ｄは、断面形状が溝部４２ｄ１と、上下のフランジ部４２ｄ２，４２ｄ３とによりコ字溝状に形成されており、且つ、光ディスク把持部４２ｄは光ディスク１の下面１ｂ（図１）と接する下側のフランジ部４２ｄ３の幅が光ディスク１の上面１ａ（図１）と接する上側のフランジ部４２ｄ２の幅よりも幅広く形成されていると共に、下側のランジ部４２ｄ３のうちで光ディスク挿入側にテーパ部４２ｄ４が形成されている。
【００５１】
これにより、光ディスク１の上下の面１ａ，１ｂを傷つけることなく光ディスク１を確実且つ安定に把持できる。
【００５２】
また、左側の光ディスク把持レバー４２Ｌの下面４２ｂに２つのボス部４２ｅ，４２ｆが下方に向かって突出形成されており、一方のボス部４２ｅは短く形成されて左側のガイドレール４１Ｌの上面４２ａ側からカム溝４１ｃ内に進入し、他方のボス部４２ｆは、一方のボス部４２ｅより長く形成されて左側のガイドレール４１Ｌの上面４１ａ側から直線状ガイド溝４１ｄ内を摺動可能に通り抜けて左側のスライダ４３Ｌの上面４３ａに穿設した丸孔４３ｂ内に回動可能に進入している。
【００５３】
また、左側のスライダ４３Ｌは、樹脂材を用いて略直方形状に形成されており、且つ、上面４３ａに３つのボス部４３ｃ〜４３ｅが上方に向かって突出形成されており、左側の光ディスク把持レバー４２Ｌのボス部４２ｆを支持している丸孔４３ａと同一のライン上に形成された２つのボス部４３ｃ，４３ｄは短く形成されて左側のガイドレール４１Ｌの下面４１ｂ側から直線状ガイド溝４１ｄ内に摺動可能に進入している。
【００５４】
一方、２つのボス部４３ｃ，４３ｄの右側に配置されたボス部４３ｅは、２つのボス部４３ｃ，４３ｄより長く形成されて左側のネジリバネ４４が嵌め込まれており、このネジリバネ４４のアーム部４４ａで左側の光ディスク把持レバー４２Ｌの右側面４２ｃの後端側を押して、左側の光ディスク把持レバー４２Ｌを光ディスク１の略仮想中心Ｏ（図２，図３）の方向に付勢している。
【００５５】
また、左側のスライダ４３Ｌは、右側面４３ｆの内側にタイミングベルト４７を連結するベルト連結部４３ｇが下面４３ｈに向かって形成されている。
【００５６】
上記の構成により、ディスクローディング機構部４０は、左側の光ディスク把持レバー４２Ｌが左側のガイドレール４１Ｌを挟んで左側のスライダ４３Ｌに回動可能に支持され、タイミングベルト４７に連結された左側のスライダ４３Ｌと一体に左側の光ディスク把持レバー４２Ｌが左側のガイドレール４１Ｌに沿って矢印Ｙ方向に往復動可能になっている。
【００５７】
勿論、図４，図５での図示を省略した右側の光ディスク把持レバー４２Ｒも右側のガイドレール４１Ｒを挟んで右側のスライダ４３Ｒに回動可能に支持され、タイミングベルト４７に連結された右側のスライダ４３Ｒと一体に右側の光ディスク把持レバー４２Ｒが右側のガイドレール４１Ｒに沿って矢印Ｙ方向に往復動可能になっている。
【００５８】
そして、図５に示した如く、左側のガイドレール４１Ｌのカム溝４１ｃは、ディスク挿脱口（図１〜図３）とターンテーブル（図１，図２）との間に光ディスク１の挿入を待機する待機位置Ｙ１が設定され、且つ、待機位置Ｙ１よりも奥方に光ディスク１をターンテーブル２１上に装着する光ディスク装着位置Ｙ２が設定されていると共に、ディスク挿脱口１２ａの近傍にターンテーブル２１に装着した光ディスク１を排出する光ディスク排出位置Ｙ３が設定されている。
【００５９】
そして、図５での図示を省略した右側を含めて説明すると、左右一対のガイドレール４１Ｌ，４１Ｒの各カム溝４１ｃは、左右一対の光ディスク把持レバー４２Ｌ，４２Ｒを、待機位置Ｙ１で待機させ、待機位置Ｙ１と光ディスク装着位置Ｙ２の手前の間で挿入された光ディスク１に対して把持状態を保つように左右一対のネジリバネ４４Ｌ，４４Ｒに抗して回動させる。そして、光ディスク装着位置Ｙ２の近傍で把持されている光ディスク１に対して把持解除方向に回動させ、待機位置Ｙ１と光ディスク排出位置Ｙ３の間で排出される光ディスク１に対して左右一対のネジリバネ４４Ｌ，４４Ｒの付勢力で把持方向に回動させるように形成されているので、光ディスク１の搬送及び光ディスク１の排出を確実且つ安定に行なうことができるようになっている。
【００６０】
この際、図５での図示を省略するものの、待機位置Ｙ１にスイッチ１，光ディスク装着位置Ｙ２にスイッチ２，光ディスク排出位置Ｙ３にスイッチ３，４がそれぞれ設けられている。
【００６１】
ここで、先の図２〜図５及び新たな図６〜図１０を併用して本発明に係るディスクローディング機構部４０の動作について説明する。
【００６２】
まず、図６に示した如く、本発明に係るディスクローディング機構部４０が初期状態のときには、トラバース機構部２０（図２）が下動して光ディスク１の挿入を待機している。
【００６３】
また、初期時には、左右一対の光ディスク把持レバー４２Ｌ，４２Ｒを回動可能に支持した左右一対のスライダ４３Ｌ，４３Ｒの各２つのボス部４３ｃ，４３ｄと、左右一対の光ディスク把持レバー４２Ｌ，４２Ｒの各ボス部４２ｆとが、左右一対のガイドレール４１Ｌ，４１Ｒの各直線状ガイド溝部４１ｄ内に摺動可能に嵌合して、左右一対のスライダ４３Ｌ，４３Ｒがターンテーブル２１よりも前方に位置し且つ左右一対のガイドレール４１Ｌ，４１Ｒの略中間部位に設定した各待機位置Ｙ１に至って待機している。
【００６４】
このときに、左右一対の光ディスク把持レバー４２Ｌ，４２Ｒの各ボス部４２ｅは、左右一対のガイドレール４１Ｌ，４１Ｒの各カム溝４１ｃの幅広い第１直線状カム溝部４１ｃ１内でテーパカム部４１ｃ２の手前に位置しているので、左右一対の光ディスク把持レバー４２Ｌ，４２Ｒが左右一対のネジリバネ４４Ｌ，４４Ｒの付勢力により各ボス部４２ｆを中心にして左側が反時計方向，右側が時計方向に回動してそれぞれ内側に向かって対向している。
【００６５】
この状態で、ディスク挿脱口１２ａから裸の光ディスク１を手動により挿入すると、光ディスク１の外周縁１ｇが左右一対の光ディスク把持レバー４２Ｌ，４２Ｒの各光ディスク把持部４２ｄ内に進入し、光ディスク１の押し込み力により左右一対の光ディスク把持レバー４２Ｌ，４２Ｒが奥方に押し込まれながら矢印Ｙｉｎ方向に移動する。
【００６６】
これに伴って、左右一対の光ディスク把持レバー４２Ｌ，４２Ｒの各ボス部４２ｅが左右一対のガイドレール４１Ｌ，４１Ｒの各カム溝４１ｃの幅広い第１直線状カム溝部４１ｃ１内からテーパカム部４１ｃ２に沿って移動するために、このテーパカム部４１ｃ２の形状に応じて左右一対の光ディスク把持レバー４２Ｌ，４２Ｒが左右一対のネジリバネ４４Ｌ，４４Ｒの付勢力に抗して各ボス部４２ｆを中心にしてそれぞれ時計方向，反時計方向に回動して外側に向かい、左右一対の光ディスク把持レバー４２Ｌ，４２Ｒの各光ディスク把持部４２ｄで光ディスク１の外周縁１ｇを把持する。
【００６７】
この後、左右一対のガイドレール４１Ｌ，４１Ｒの各カム溝４１ｃ内のテーパカム部４１ｃ２により光ディスク１の外周縁１ｇを把持したままの状態で左右一対の光ディスク把持レバー４２Ｌ，４２Ｒの各ボス部４２ｅは、左右一対のガイドレール４１Ｌ，４１Ｒの各カム溝４１ｃのテーパカム部４１ｃ２から幅狭い第２直線状カム溝部４１ｃ３に進入し、この幅狭い第２直線状カム溝部４１ｃ３により左右一対の光ディスク把持レバー４２Ｌ，４２Ｒの各光ディスク把持部４２ｄで光ディスク１の外周縁１ｇを把持したまま左右一対の光ディスク把持レバー４２Ｌ，４２Ｒの回動が規制される。
【００６８】
従って、左右一対のガイドレール４１Ｌ，４１Ｒの各カム溝４１ｃの幅狭い第２直線状カム溝部４１ｃ３により光ディスク１の搬送中に光ディスク１が左右一対の光ディスク把持レバー４２Ｌ，４２Ｒから外れることを防止できる。
【００６９】
この際、左右一対の光ディスク把持レバー４２Ｌ，４２Ｒは、図２，図３及び後述の図８に示したように、光ディスク１の挿入方向と直交して光ディスク１の仮想中心Ｏを通る仮想線ＫＬと交わる外周縁１ｇの近傍を把持しているので、光ディスク１を確実且つ安定に把持した状態で光ディスク１を搬送できると共に、光ディスク１のレーベル面となる上面１ａ（図１）及びレーザビーム入射面側となる下面１ｂ（図１）を傷つけずに光ディスク１を搬送できる。
【００７０】
また、待機位置Ｙ１で手動により左右一対の光ディスク把持レバー４２Ｌ，４２Ｒが押されて移動すると、不図示のスイッチ１がＯＮ状態に切り替わるので、先の図２に示したように駆動用プーリ４５が始動してタイミングベルト４７を介して左右一対のスライダ４３Ｌ，４３Ｒが矢印Ｙｉｎ方向に移動し、これに伴って、光ディスク１を把持したまま左右一対の光ディスク把持レバー４２Ｌ，４２Ｒの各ボス部４２ｅが左右一対のガイドレール４１Ｌ，４１Ｒの各カム溝４１ｃのテーパカム部４１ｃ２から幅狭い第２直線状カム溝部４１ｃ３内に移動する。
【００７１】
次に、図７に示した如く、左右一対のスライダ４３Ｌ，４３Ｒが矢印Ｙｉｎ方向に更に移動して左右一対のガイドレール４１Ｌ，４１Ｒの奥方部位に設定した光ディスク装着位置Ｙ２の近傍に至ると、トラバース機構部２０（図２）が上動し、光ディスク１の中心孔１ｈ内にトラバース機構部２０（図２）内のターンテーブル２１のチャック部２１ａが嵌合する。
【００７２】
一方、光ディスク装着位置Ｙ２の近傍では、左右一対の光ディスク把持レバー４２Ｌ，４２Ｒの各ボス部４２ｅが左右一対のガイドレール４１Ｌ，４１Ｒの各カム溝４１ｃの幅狭い第２直線状カム溝部４１ｃ３からテーパカム溝部４１ｃ４に達し、このテーパカム溝部４１ｃ４の形状に応じて左右一対の光ディスク把持レバー４２Ｌ，４２Ｒが左右一対のネジリバネ４４Ｌ，４４Ｒの付勢力に抗して各ボス部４２ｆを中心にしてそれぞれ時計方向，反時計方向に回動して更に外側に向かので、左右一対の光ディスク把持レバー４２Ｌ，４２Ｒの各光ディスク把持部４２ｄが光ディスク１の外周縁１ｇから離れる。この後、ディスククランパ３２（図２）によって光ディスク１がターンテーブル２１上にクランプされて装着が完了する。
【００７３】
また、左右一対のスライダ４３Ｌ，４３Ｒが光ディスク装着位置Ｙ２に至ると、不図示のスイッチ２がＯＮ状態に切り替わるので、左右一対のスライダ４３Ｌ，４３Ｒが移動を停止する。
【００７４】
次に、図８に示した如く、光ディスク１を筐体１１（図１〜図３）の外に排出するときには、図７に示した光ディスク装着位置Ｙ２から左右一対のスライダ４３Ｌ，４３Ｒを装着時とは逆方向となる矢印Ｙｏｕｔ方向に移動させて、左右一対のガイドレール４１Ｌ，４１Ｒの各カム溝４１ｃのテーパカム部４１ｃ２によって左右一対の光ディスク把持レバー４２Ｌ，４２Ｒの各光ディスク把持部４２ｄでターンテーブル２１上に装着した光ディスク１を把持してトラバース機構部２０（図２）を下動させた後に、左右一対のスライダ４３Ｌ，４３Ｒを図６に示した待機位置Ｙ１を通過させて、左右一対のガイドレール４１Ｌ，４１Ｒの前方部位に設定した光ディスク排出位置Ｙ３まで移動させている。
【００７５】
そして、左右一対のスライダ４３Ｌ，４３Ｒが光ディスク排出位置Ｙ３に至ると、不図示のスイッチ２がＯＮ状態に切り替わるので、左右一対のスライダ４３Ｌ，４３Ｒが移動を停止する。
【００７６】
また、光ディスク排出位置Ｙ３では、光ディスク１の外周縁１ｇを把持したまま左右一対の光ディスク把持レバー４２Ｌ，４２Ｒの各ボス部４２ｅが左右一対のガイドレール４１Ｌ，４１Ｒの各カム溝４１ｃの幅広い第１直線状カム溝部４１ｃ１内の前方部位に至り、且つ、左右一対の光ディスク把持レバー４２Ｌ，４２Ｒは幅広い第１直線状カム溝部４１ｃ１内で回動規制が解除されている。
【００７７】
ここで、光ディスク装着位置Ｙ２で左右一対の光ディスク把持レバー４２Ｌ，４２Ｒの各光ディスク把持部４２ｄは、前述したように、光ディスク１の挿入方向と直交して光ディスク１の仮想中心Ｏを通る仮想線ＫＬが交わる外周縁１ｇの近傍を把持しており、且つ、回動可能な左右一対の光ディスク把持レバー４２Ｌ，４２Ｒは左右一対のネジリバネ４４Ｌ，４４Ｒの付勢力により各光ディスク把持部４２ｄの把持力Ｆが光ディスク１の略仮想中心Ｏに向かうために光ディスク１の外周縁１ｇを確実且つ安定に把持できる。
【００７８】
そして、左右一対のスライダ４３Ｌ，４３Ｒが光ディスク排出位置Ｙ３まで移動すると、図９（ａ），（ｂ）に示したように、左右一対の光ディスク把持レバー４２Ｌ，４２Ｒの各光ディスク把持部４２ｄは、光ディスク１の外周縁１ｇを把持したまま前面パネル１２に設けたディスク挿脱口１２ａ内の左右両端から外部に突出する。このときにも、左右一対の光ディスク把持レバー４２Ｌ，４２Ｒの各光ディスク把持部４２ｄからの把持力Ｆが光ディスク１の中心孔１ｈに向かっているので、各光ディスク把持部４２ｄにより光ディスク１を確実且つ安定に支持することができる。
【００７９】
次に、図１０に示した如く、光ディスク排出位置Ｙ３でディスク挿脱口１２ａ内の左右両端から外部に突出し、且つ、左右一対のネジリバネ４４Ｌ，４４Ｒにより光ディスク１の略仮想中心方向に向かって付勢された左右一対の光ディスク把持レバー４２Ｌ，４２Ｒの各光ディスク把持部４２ｄから光ディスク１を矢印Ｙｏｕｔ方向に手動により引き抜くと、左右一対の光ディスク把持レバー４２Ｌ，４２Ｒは左右一対のネジリバネ４４Ｌ，４４Ｒの付勢力により各ボス部４２ｆを中心にして反時計方向，時計方向に回動してそれぞれ内側に向かって対向する。このときに、左右一対の光ディスク把持レバー４２Ｌ，４２Ｒの回動を不図示のスイッチ４で検出して、所定のタイミングを経た後に駆動用プーリ４５を始動させ、上記の状態を保ったまま左右一対の光ディスク把持レバー４２Ｌ，４２Ｒを図６に示した待機位置まで戻して、次回の光ディスク１の挿入を待機している。
【符号の説明】
【００８０】
１…光ディスク、１ａ…上面、１ｂ…下面、１ｇ…外周縁、１ｈ…中心孔、
１０…光ディスク装置、
１１…筐体、１１ａ…前面、１２…前面パネル、１２ａ…ディスク挿脱口、
２０…トラバース機構部、
２１…ターンテーブル、２１ａ…チャック部、２２…モータ、
２３…ガイドシャフト、２４…光ピックアップ、２５…トラバースベース、
２６…インシュレータ、２７…メインシャーシ、
３０…ディスククランプ部、３１…クランパ支持材、３２…ディスククランパ、
４０…ディスクローディング機構部、
４１Ｌ，４１Ｒ…左右一対のガイドレール、４１ａ…上面、４１ｂ…下面、
４１ｃ…カム溝、４１ｃ１…第１直線状カム溝部、４１ｃ２…テーパカム部、
４１ｃ３…第２直線状カム溝部、４１ｃ４…テーパカム溝部、
４１ｄ…直線状ガイド溝、
４２Ｌ，４２Ｒ…左右一対の光ディスク把持レバー、４２ａ…上面、４２ｂ…下面、
４２ｃ…右側面、４２ｄ…光ディスク把持部、４２ｄ１…溝部、
４２ｄ２，４２ｄ３…上下のフランジ部、４２ｄ４…テーパ部、
４２ｅ，４２ｆ…ボス部、
４３Ｌ，４３Ｒ…左右一対のスライダ、４３ａ…上面、４３ｂ…丸孔、
４３ｃ〜４３ｅ…ボス部、４３ｆ…右側面、４３ｇ…ベルト連結部、４３ｈ…下面、
４４Ｌ，４４Ｒ…左右一対のネジリバネ、
４５…駆動用プーリ、４６…従動用プーリ、４７…タイミングベルト、
ＫＬ…仮想線、Ｏ…光ディスクの仮想中心。
【図１】
2010205369.tif 000003
【図２】
2010205369.tif 000004
【図３】
2010205369.tif 000005
【図４】
2010205369.tif 000006
【図５】
2010205369.tif 000007
【図６】
2010205369.tif 000008
【図７】
2010205369.tif 000009
【図８】
2010205369.tif 000010
【図９】
2010205369.tif 000011
【図１０】
2010205369.tif 000012
【図１１】
2010205369.tif 000013
【図１２】
2010205369.tif 000014